(57)【要約】【課題】小型化を図ること。【解決手段】医療用光源装置３は、Ｇ色光を出射するＧ固体発光素子２１と、Ｂ色光を出射するＢ固体発光素子３１と、Ｒ色光を出射するＲ固体発光素子４１と、Ｖ色光を出射するＶ固体発光素子５１と、Ｇ，Ｂ，Ｒ，Ｂ色光を合成可能とする色合成光学装置６０とを備える。色合成光学装置６０は、Ｇ，Ｒ色光を透過し、Ｂ色光を反射する第１誘電体多層膜６３１と、第１誘電体多層膜６３１に交差して設けられ、Ｇ，Ｂ色光を透過し、Ｒ色光を反射する第２誘電体多層膜６３２と、第１，第２誘電体多層膜６３１，６３２に対して光路後段に設けられ、Ｇ，Ｂ，Ｒ色光を透過し、Ｖ色光を反射する第３誘電体多層膜６３３とを備える。【選択図】図２
2019080624.tif 000002
【特許請求の範囲】
【請求項１】
第１色光を出射する第１固体発光素子と、
前記第１色光よりもピーク波長が短い第２色光を出射する第２固体発光素子と、
前記第１色光よりもピーク波長が長い第３色光を出射する第３固体発光素子と、
前記第２色光よりも短いピーク波長、または前記第３色光よりも長いピーク波長を有する第４色光を出射する第４固体発光素子と、
前記第１色光、前記第２色光、前記第３色光、及び前記第４色光を合成可能とする色合成光学装置とを備え、
前記色合成光学装置は、
前記第１色光及び前記第３色光を透過し、前記第２色光を反射する第１色分離面と、
前記第１色分離面に交差して設けられ、前記第１色光及び前記第２色光を透過し、前記第３色光を反射する第２色分離面と、
前記第１色分離面及び前記第２色分離面に対して光路後段に設けられ、前記第１色光、前記第２色光、及び前記第３色光を透過し、前記第４色光を反射する第３色分離面とを備える
ことを特徴とする医療用光源装置。
【請求項２】
前記第４色光は、
前記第３色光よりもピーク波長が長く、
当該医療用光源装置は、
前記第２色光よりも短いピーク波長、または前記第４色光よりも長いピーク波長を有する第５色光を出射する第５固体発光素子を備え、
前記第３色分離面は、
前記第１色光、前記第２色光、前記第３色光、及び前記第５色光を透過し、
前記色合成光学装置は、
前記第３色分離面に交差して設けられ、前記第１色光、前記第２色光、前記第３色光、及び前記第４色光を透過し、前記第５色光を反射する第４色分離面を備える
ことを特徴とする請求項１に記載の医療用光源装置。
【請求項３】
前記第５色光は、
前記第２色光よりも短いピーク波長を有する
ことを特徴とする請求項２に記載の医療用光源装置。
【請求項４】
前記第４色光は、
前記第３色光よりもピーク波長が長く、
当該医療用光源装置は、
前記第２色光よりもピーク波長が短い第５色光を出射する第５固体発光素子と、
前記第４色光よりもピーク波長が長い第６色光を出射する第６固体発光素子とを備え、
前記第３色分離面は、
前記第１色光、前記第２色光、及び前記第３色光と、前記第５色光及び前記第６色光の一方の色光とを透過し、
前記色合成光学装置は、
前記第３色分離面に交差して設けられ、前記第１色光、前記第２色光、前記第３色光、及び前記第４色光を透過し、前記一方の色光を反射する第４色分離面と、
前記第３色分離面及び前記第４色分離面に対して光路後段に設けられ、前記第１色光、前記第２色光、前記第３色光、前記第４色光、及び前記一方の色光を透過し、前記第５色光及び前記第６色光の他方の色光を反射する第５色分離面を備える
ことを特徴とする請求項１に記載の医療用光源装置。
【請求項５】
前記一方の色光は、
前記第５色光であり、
前記他方の色光は、
前記第６色光である
ことを特徴とする請求項４に記載の医療用光源装置。
【請求項６】
前記第１固体発光素子、前記第２固体発光素子、前記第３固体発光素子、前記第４固体発光素子、及び前記色合成光学装置が収納される外装筐体を備え、
前記外装筐体内には、
互いに独立した第１冷却流路及び第２冷却流路がそれぞれ設けられ、
前記第１固体発光素子は、
緑の波長帯域の色光を出射し、
前記第３固体発光素子及び前記第４固体発光素子の一方の固体発光素子は、
赤の波長帯域の色光を出射し、
前記第１固体発光素子は、
前記第１冷却流路を流通する冷却空気により冷却され、
前記一方の固体発光素子は、
前記第２冷却流路を流通する冷却空気により冷却される
ことを特徴とする請求項１〜５のいずれか一つに記載の医療用光源装置。
【請求項７】
前記第２固体発光素子は、
青の波長帯域の色光を出射し、前記第１冷却流路を流通する冷却空気により冷却される
ことを特徴とする請求項６に記載の医療用光源装置。
【請求項８】
前記第２固体発光素子と前記一方の固体発光素子とは、
前記色合成光学装置を挟む一方側及び他方側にそれぞれ配設されている
ことを特徴とする請求項７に記載の医療用光源装置。
【請求項９】
前記第１冷却流路の少なくとも一部と前記第２冷却流路の少なくとも一部とは、
前記色合成光学装置を挟む一方側及び他方側のそれぞれにおいて、前記第１色光の中心軸にそれぞれ平行となるように設けられている
ことを特徴とする請求項６〜８のいずれか一つに記載の医療用光源装置。
【請求項１０】
前記外装筐体には、
内部に前記冷却空気を取り込む吸気孔と、
前記第１冷却流路及び前記第２冷却流路を辿った後の前記冷却空気を外部に排出する排気孔とが設けられ、
前記吸気孔と前記排気孔とは、
前記外装筐体における異なる側壁にそれぞれ設けられている
ことを特徴とする請求項６〜９のいずれか一つに記載の医療用光源装置。
【請求項１１】
前記色合成光学装置は、
複数のプリズムが一体的に組み付けられたダイクロイックプリズムである
ことを特徴とする請求項１〜１０のいずれか一つに記載の医療用光源装置。
【請求項１２】
被検体内に挿入され、当該被検体内に照明光を照射する内視鏡と、
前記内視鏡に前記照明光を供給する請求項１〜１１のいずれか一つに記載の医療用光源装置とを備える
ことを特徴とする医療用内視鏡装置。
【発明の詳細な説明】
【技術分野】
【０００１】
本発明は、医療用光源装置及び医療用内視鏡装置に関する。
【背景技術】
【０００２】
従来、医療用内視鏡装置に用いられる医療用光源装置として、複数の固体発光素子を用いた構成が知られている（例えば、特許文献１参照）。
特許文献１に記載の医療用光源装置では、複数の固体発光素子として、赤色ＬＥＤ（Light Emitting Diode）、緑色ＬＥＤ、青色ＬＥＤ、及び紫色ＬＥＤを採用している。赤色ＬＥＤは、当該赤色ＬＥＤから出射される光（以下、Ｒ色光と記載）の中心軸が当該医療用光源装置から出射される光の光軸（以下、出射光軸と記載）に一致するように配設されている。また、緑，青，紫色ＬＥＤは、出射光軸を含む同一平面上において、当該緑色ＬＥＤから出射される光（以下、Ｇ色光と記載）、当該青色ＬＥＤから出射される光（以下、Ｂ色光と記載）、及び当該紫色ＬＥＤから出射される光（以下、Ｖ色光）の各中心軸が出射光軸にそれぞれ直交するように、出射光軸に沿って並列されている。そして、出射光軸とＧ，Ｂ，Ｖ色光の各中心軸とが交差する各位置には、ダイクロイックミラーがそれぞれ配設されている。
以上の構成により、特許文献１に記載の医療用光源装置では、Ｒ，Ｇ，Ｂ，Ｖ色光を出射可能とする。
【先行技術文献】
【特許文献】
【０００３】
【特許文献１】国際公開第２０１５／０１６１７２号
【発明の概要】
【発明が解決しようとする課題】
【０００４】
しかしながら、特許文献１に記載の医療用光源装置では、緑，青，紫色ＬＥＤは、出射光軸に沿って並列されている。このため、医療用光源装置において、出射光軸に沿う方向の長さ寸法が大きくなり、小型化を図ることが難しい、という問題がある。
【０００５】
本発明は、上記に鑑みてなされたものであって、小型化を図ることができる医療用光源装置及び医療用内視鏡装置を提供することを目的とする。
【課題を解決するための手段】
【０００６】
上述した課題を解決し、目的を達成するために、本発明に係る医療用光源装置は、第１色光を出射する第１固体発光素子と、前記第１色光よりもピーク波長が短い第２色光を出射する第２固体発光素子と、前記第１色光よりもピーク波長が長い第３色光を出射する第３固体発光素子と、前記第２色光よりも短いピーク波長、または前記第３色光よりも長いピーク波長を有する第４色光を出射する第４固体発光素子と、前記第１色光、前記第２色光、前記第３色光、及び前記第４色光を合成可能とする色合成光学装置とを備え、前記色合成光学装置は、前記第１色光及び前記第３色光を透過し、前記第２色光を反射する第１色分離面と、前記第１色分離面に交差して設けられ、前記第１色光及び前記第２色光を透過し、前記第３色光を反射する第２色分離面と、前記第１色分離面及び前記第２色分離面に対して光路後段に設けられ、前記第１色光、前記第２色光、及び前記第３色光を透過し、前記第４色光を反射する第３色分離面とを備えることを特徴とする。
【０００７】
また、本発明に係る医療用光源装置では、上記発明において、前記第４色光は、前記第３色光よりもピーク波長が長く、当該医療用光源装置は、前記第２色光よりも短いピーク波長、または前記第４色光よりも長いピーク波長を有する第５色光を出射する第５固体発光素子を備え、前記第３色分離面は、前記第１色光、前記第２色光、前記第３色光、及び前記第５色光を透過し、前記色合成光学装置は、前記第３色分離面に交差して設けられ、前記第１色光、前記第２色光、前記第３色光、及び前記第４色光を透過し、前記第５色光を反射する第４色分離面を備えることを特徴とする。
【０００８】
また、本発明に係る医療用光源装置では、上記発明において、前記第５色光は、前記第２色光よりも短いピーク波長を有することを特徴とする。
【０００９】
また、本発明に係る医療用光源装置では、上記発明において、前記第４色光は、前記第３色光よりもピーク波長が長く、当該医療用光源装置は、前記第２色光よりもピーク波長が短い第５色光を出射する第５固体発光素子と、前記第４色光よりもピーク波長が長い第６色光を出射する第６固体発光素子とを備え、前記第３色分離面は、前記第１色光、前記第２色光、及び前記第３色光と、前記第５色光及び前記第６色光の一方の色光とを透過し、前記色合成光学装置は、前記第３色分離面に交差して設けられ、前記第１色光、前記第２色光、前記第３色光、及び前記第４色光を透過し、前記一方の色光を反射する第４色分離面と、前記第３色分離面及び前記第４色分離面に対して光路後段に設けられ、前記第１色光、前記第２色光、前記第３色光、前記第４色光、及び前記一方の色光を透過し、前記第５色光及び前記第６色光の他方の色光を反射する第５色分離面を備えることを特徴とする。
【００１０】
また、本発明に係る医療用光源装置では、上記発明において、前記一方の色光は、前記第５色光であり、前記他方の色光は、前記第６色光であることを特徴とする。
【００１１】
また、本発明に係る医療用光源装置では、上記発明において、前記第１固体発光素子、前記第２固体発光素子、前記第３固体発光素子、前記第４固体発光素子、及び前記色合成光学装置が収納される外装筐体を備え、前記外装筐体内には、互いに独立した第１冷却流路及び第２冷却流路がそれぞれ設けられ、前記第１固体発光素子は、緑の波長帯域の色光を出射し、前記第３固体発光素子及び前記第４固体発光素子の一方の固体発光素子は、赤の波長帯域の色光を出射し、前記第１固体発光素子は、前記第１冷却流路を流通する冷却空気により冷却され、前記一方の固体発光素子は、前記第２冷却流路を流通する冷却空気により冷却されることを特徴とする。
【００１２】
また、本発明に係る医療用光源装置では、上記発明において、前記第２固体発光素子は、青の波長帯域の色光を出射し、前記第１冷却流路を流通する冷却空気により冷却されることを特徴とする。
【００１３】
また、本発明に係る医療用光源装置では、上記発明において、前記第２固体発光素子と前記一方の固体発光素子とは、前記色合成光学装置を挟む一方側及び他方側にそれぞれ配設されていることを特徴とする。
【００１４】
また、本発明に係る医療用光源装置では、前記第１冷却流路の少なくとも一部と前記第２冷却流路の少なくとも一部とは、前記色合成光学装置を挟む一方側及び他方側のそれぞれにおいて、前記第１色光の中心軸にそれぞれ平行となるように設けられていることを特徴とする。
【００１５】
また、本発明に係る医療用光源装置では、上記発明において、前記外装筐体には、内部に前記冷却空気を取り込む吸気孔と、前記第１冷却流路及び前記第２冷却流路を辿った後の前記冷却空気を外部に排出する排気孔とが設けられ、前記吸気孔と前記排気孔とは、前記外装筐体における異なる側壁にそれぞれ設けられていることを特徴とする。
【００１６】
また、本発明に係る医療用光源装置では、上記発明において、前記色合成光学装置は、複数のプリズムが一体的に組み付けられたダイクロイックプリズムであることを特徴とする。
【００１７】
また、本発明に係る医療用内視鏡装置は、被検体内に挿入され、当該被検体内に照明光を照射する内視鏡と、前記内視鏡に前記照明光を供給する上述した医療用光源装置とを備えることを特徴とする。
【発明の効果】
【００１８】
本発明に係る医療用光源装置では、第１〜第４固体発光素子からそれぞれ出射された第１〜第４色光を合成可能とする色合成光学装置を備える。この色合成光学装置は、互いに交差して設けられた上述した第１，第２色分離面と、当該第１，第２色分離面の光路後段に設けられた上述した第３色分離面とを備える。すなわち、第１，第２色分離面を互いに交差して設けているため、第２，第３固体発光素子を医療用光源装置の出射光軸に沿って並列する必要がなく、当該出射光軸に沿う方向の略同一位置に設けることができる。
したがって、本発明に係る医療用光源装置によれば、出射光軸に沿う方向の長さ寸法を小さくすることができ、小型化を図ることができる、という効果を奏する。
【００１９】
また、本発明に係る医療用内視鏡装置では、上述した医療用光源装置を備えるため、上述した医療用光源装置と同様の作用及び効果を奏する。
【図面の簡単な説明】
【００２０】
【図１】図１は、本実施の形態１に係る医療用内視鏡装置の概略構成を示す図である。
【図２】図２は、光源装置の内部構成を示す図である。
【図３】図３は、本実施の形態２に係る光源装置の内部構成を示す図である。
【図４】図４は、本実施の形態３に係る光源装置の内部構成を示す図である。
【図５】図５は、本実施の形態４に係る光源装置の内部構成を示す図である。
【図６】図６は、本実施の形態５に係る光源装置の内部構成を示す図である。
【図７】図７は、本実施の形態６に係る光源装置の内部構成を示す図である。
【図８】図８は、本実施の形態７に係る光源装置の内部構成を示す図である。
【図９】図９は、本実施の形態１〜７及び変形例１−１，２−１，３−１，４−１、５−１，６−１，７−１〜７−７における各光源部の配置パターンを説明する図である。
【図１０】図１０は、本実施の形態１〜７及び変形例１−１，２−１，３−１，４−１，５−１，６−１，７−１〜７−７における各光源部の配置パターンを説明する図である。
【図１１】図１１は、本実施の形態１〜７の変形例を示す図である。
【図１２】図１２は、本実施の形態１〜７の変形例を示す図である。
【図１３】図１３は、本実施の形態１〜７の変形例を示す図である。
【発明を実施するための形態】
【００２１】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２２】
（実施の形態１）
〔医療用内視鏡装置の概略構成〕
図１は、本実施の形態１に係る医療用内視鏡装置１の概略構成を示す図である。
医療用内視鏡装置１は、医療分野において用いられ、生体内等の被検体を観察する装置である。この医療用内視鏡装置１は、図１に示すように、挿入部２と、光源装置３と、ライトガイド４と、カメラヘッド５と、第１伝送ケーブル６と、表示装置７と、第２伝送ケーブル８と、制御装置９と、第３伝送ケーブル１０とを備える。
【００２３】
挿入部２は、本発明に係る内視鏡に相当する。本実施の形態１では、挿入部２は、硬性内視鏡で構成されている。すなわち、挿入部２は、硬質または少なくとも一部が軟質で細長形状を有し、生体内に挿入される。この挿入部２内には、１または複数のレンズを用いて構成され、被写体像を集光する光学系が設けられている。
光源装置３は、本発明に係る医療用光源装置に相当する。この光源装置３は、ライトガイド４の一端が接続され、制御装置９による制御の下、当該ライトガイド４の一端に生体内を照明する照明光を供給する。なお、光源装置３の詳細な構成については、後述する。
ライトガイド４は、一端が光源装置３に着脱自在に接続されるとともに、他端が挿入部２に着脱自在に接続される。そして、ライトガイド４は、光源装置３から供給された光を一端から他端に伝達し、挿入部２に供給する。挿入部２に供給された光は、当該挿入部２の先端から出射され、生体内に照射される。生体内に照射され、当該生体内で反射された光（被写体像）は、挿入部２内の光学系により集光される。
【００２４】
カメラヘッド５は、挿入部２の基端（接眼部２ａ（図１））に着脱自在に接続される。そして、カメラヘッド５は、制御装置９による制御の下、挿入部２にて集光された被写体像を撮像し、当該撮像による画像信号（ＲＡＷ信号）を出力する。本実施の形態１では、当該画像信号は、４Ｋ以上の画像信号である。
第１伝送ケーブル６は、一端がコネクタＣＮ１（図１）を介して制御装置９に着脱自在に接続され、他端がコネクタＣＮ２（図１）を介してカメラヘッド５に着脱自在に接続される。そして、第１伝送ケーブル６は、カメラヘッド５から出力される画像信号を制御装置９に伝送するとともに、制御装置９から出力される制御信号、同期信号、クロック、及び電力等をカメラヘッド５にそれぞれ伝送する。
なお、第１伝送ケーブル６を介したカメラヘッド５から制御装置９への画像信号の伝送は、当該画像信号を光信号で伝送してもよく、あるいは、電気信号で伝送しても構わない。第１伝送ケーブル６を介した制御装置９からカメラヘッド５への制御信号、同期信号、クロックの伝送も同様である。
【００２５】
表示装置７は、液晶または有機ＥＬ（Electro Luminescence）等を用いた表示ディスプレイを用いて構成され、制御装置９にて処理された映像信号に基づく画像を表示する。
第２伝送ケーブル８は、一端が制御装置９に着脱自在に接続され、他端が表示装置７に着脱自在に接続される。そして、第２伝送ケーブル８は、制御装置９からの映像信号を表示装置７に伝送する。
【００２６】
制御装置９は、ＣＰＵ（Central Processing Unit）等を含んで構成され、光源装置３、カメラヘッド５、及び表示装置７の動作を統括的に制御する。
具体的に、制御装置９は、第１伝送ケーブル６を介してカメラヘッド５から取得した画像信号に対して所定の処理を施すことで映像信号を生成し、第２伝送ケーブル８を介して当該映像信号を表示装置７に出力する。そして、表示装置７は、当該映像信号に基づく画像を表示する。また、制御装置９は、第１，第３伝送ケーブル６，１０を介して、カメラヘッド５や光源装置３に対して制御信号等を出力する。
第３伝送ケーブル１０は、一端が光源装置３に着脱自在に接続され、他端が制御装置９に着脱自在に接続される。そして、第３伝送ケーブル１０は、制御装置９からの制御信号を光源装置３に伝送する。
【００２７】
〔光源装置の構成〕
次に、光源装置３の構成について図２を参照しながら説明する。
図２は、光源装置３の内部構成を示す図である。なお、図２は、光源装置３の内部構成を上方側から見た図である。
光源装置３は、Ｇ光源部２０と、Ｂ光源部３０と、Ｒ光源部４０と、Ｖ光源部５０と、色合成光学装置６０と、外装筐体７０とを備える。
Ｇ光源部２０は、緑の波長帯域の色光（以下、Ｇ色光と記載）を出射する部分である。このＧ光源部２０は、Ｇ固体発光素子２１と、Ｇ放熱器２２とを備える。
【００２８】
Ｇ固体発光素子２１は、本発明に係る第１固体発光素子に相当する。また、Ｇ色光は、本発明に係る第１色光に相当する。本実施の形態１では、Ｇ固体発光素子２１は、Ｇ色光を出射するＬＥＤ（Light Emitting Diode）チップで構成され、回路基板（図示略）上に実装されている。そして、Ｇ固体発光素子２１は、矩形の面状発光領域を有し、当該面状発光領域から正面（図２中、右側の面）側に向けてＧ色光を出射する。
ここで、Ｇ色光は、例えば、ピーク波長が４９５〜５９０ｎｍの波長帯域の範囲にある色光である。
【００２９】
Ｇ放熱器２２は、Ｇ固体発光素子２１が実装された回路基板（図示略）の裏面（Ｇ固体発光素子２１の実装面とは反対側の面）に設けられ、Ｇ固体発光素子２１の駆動時に発生した熱を外部に放熱する。本実施の形態１では、具体的な図示は省略したが、Ｇ放熱器２２は、ヒートスプレッダと、複数のフィンと、複数のヒートパイプとを備える。
具体的に、ヒートスプレッダは、Ｇ固体発光素子２１が実装された回路基板（図示略）の裏面に固定される。複数のフィンは、高熱伝導性を有する材料で構成された略平板であり、ヒートスプレッダからそれぞれ突出し、互いに所定の隙間を空けた状態で積層される。ヒートパイプは、一端がヒートスプレッダに熱伝達可能に接続し、他端が複数のフィンを貫通して当該複数のフィンに熱伝達可能にそれぞれ接続する。これにより、Ｇ固体発光素子２１に発生した熱は、回路基板（図示略）を介してヒートスプレッダに発散する。また、ヒートスプレッダに発散した熱は、複数のフィンにそれぞれ伝達される。さらに、ヒートスプレッダに発散した熱は、複数のヒートパイプの各一端から各他端に伝達され、複数のフィンにそれぞれ伝達される。そして、複数のフィンと空気との熱交換により、当該複数のフィンから熱が放熱される。
【００３０】
Ｂ光源部３０は、青の波長帯域の色光（以下、Ｂ色光と記載）を出射する部分である。このＢ光源部３０は、Ｂ固体発光素子３１と、Ｂ放熱器３２とを備える。
Ｂ固体発光素子３１は、本発明に係る第２固体発光素子に相当する。また、Ｂ色光は、本発明に係る第２色光に相当する。本実施の形態１では、Ｂ固体発光素子３１は、Ｇ色光ではなくＢ色光を出射する点以外はＧ固体発光素子２１と同様の構成を有する。
ここで、Ｂ色光は、例えば、ピーク波長が４５０〜４９５ｎｍの波長帯域の範囲にある色光である。
Ｂ放熱器３２は、Ｂ固体発光素子３１が実装された回路基板（図示略）の裏面に設けられ、Ｂ固体発光素子３１の駆動時に発生した熱を外部に放熱する。本実施の形態１では、Ｂ放熱器３２は、Ｇ放熱器２２と同様の構成を有する。
【００３１】
Ｒ光源部４０は、赤の波長帯域の色光（以下、Ｒ色光と記載）を出射する部分である。このＲ光源部４０は、Ｒ固体発光素子４１と、Ｒ放熱器４２とを備える。
Ｒ固体発光素子４１は、本発明に係る第３固体発光素子に相当する。また、Ｒ色光は、本発明に係る第３色光に相当する。本実施の形態１では、Ｒ固体発光素子４１は、Ｇ色光ではなくＲ色光を出射する点以外はＧ固体発光素子２１と同様の構成を有する。
ここで、Ｒ色光は、例えば、ピーク波長が６２０〜７５０ｎｍの波長帯域の範囲にある色光である。
Ｒ放熱器４２は、Ｒ固体発光素子４１が実装された回路基板（図示略）の裏面に設けられ、Ｒ固体発光素子４１の駆動時に発生した熱を外部に放熱する。本実施の形態１では、Ｒ放熱器４２は、Ｇ放熱器２２と同様の構成を有する。
【００３２】
Ｖ光源部５０は、紫の波長帯域の色光（以下、Ｖ色光と記載）を出射する部分である。このＶ光源部５０は、Ｖ固体発光素子５１と、Ｖ放熱器５２とを備える。
Ｖ固体発光素子５１は、本発明に係る第４固体発光素子に相当する。また、Ｖ色光は、本発明に係る第４色光に相当する。本実施の形態１では、Ｖ固体発光素子５１は、Ｇ色光ではなくＶ色光を出射する点以外はＧ固体発光素子２１と同様の構成を有する。
ここで、Ｖ色光は、例えば、ピーク波長が３８０〜４５０ｎｍの波長帯域の範囲にある色光である。
Ｖ放熱器５２は、Ｖ固体発光素子５１が実装された回路基板（図示略）の裏面に設けられ、Ｖ固体発光素子５１の駆動時に発生した熱を外部に放熱する。本実施の形態１では、Ｖ放熱器５２は、Ｇ放熱器２２と同様の構成を有する。
【００３３】
色合成光学装置６０は、Ｇ，Ｂ，Ｒ，Ｖ固体発光素子２１，３１，４１，５１からそれぞれ出射されたＧ，Ｂ，Ｒ，Ｖ色光を合成可能とする。この色合成光学装置６０は、第１，第２プリズム６１，６２を備える。
第１プリズム６１は、４つの直角プリズム６１１〜６１４を貼り合わせた平面視略正方形状を有する。なお、以下では、第１プリズム６１において、平面視略正方形状の四辺のうち、１辺に相当する外面を第１入射面６１ａと記載し、第１入射面６１ａを除き互いに平行となる２辺に相当する各外面を第２，第３入射面６１ｂ，６１ｃと記載し、その他の１辺に相当する外面を第１出射面６１ｄと記載する。
そして、Ｇ固体発光素子２１は、第１入射面６１ａとの間にコリメートレンズ等の光学系（図示略）を介して正面側が当該第１入射面６１ａに対向するように配置される。また、Ｂ固体発光素子３１は、第２入射面６１ｂとの間にコリメートレンズ等の光学系（図示略）を介して正面側が当該第２入射面６１ｂに対向するように配置される。さらに、Ｒ固体発光素子４１は、第３入射面６１ｃとの間にコリメートレンズ等の光学系（図示略）を介して正面側が当該第３入射面６１ｃに対向するように配置される。
【００３４】
また、直角プリズム６１１〜６１４を貼り合わせた平面視Ｘ字状の各界面には、第１，第２誘電体多層膜６３１，６３２がそれぞれ形成されている。
第１誘電体多層膜６３１は、本発明に係る第１色分離面に相当する。この第１誘電体多層膜６３１は、直角プリズム６１１〜６１４を貼り合わせた平面視Ｘ字状の各界面のうち、第１入射面６１ａ及び第３入射面６１ｃに跨る界面に形成されている。本実施の形態１では、第１誘電体多層膜６３１は、４９５ｎｍを超える波長の光を透過し、４９５ｎｍ以下の波長の光を反射する誘電体多層膜（ハイパスフィルタ）で構成されている。
第２誘電体多層膜６３２は、本発明に係る第２色分離面に相当する。この第２誘電体多層膜６３２は、直角プリズム６１１〜６１４を貼り合わせた平面視Ｘ字状の各界面のうち、第１入射面６１ａ及び第２入射面６１ｂに跨る界面に形成されている。本実施の形態１では、第２誘電体多層膜６３２は、６２０ｎｍ未満の波長の光を透過し、６２０ｎｍ以上の波長の光を反射する誘電体多層膜（ローパスフィルタ）で構成されている。
【００３５】
そして、Ｇ固体発光素子２１から出射されたＧ色光は、第１入射面６１ａから第１プリズム６１に入射し、第１，第２誘電体多層膜６３１，６３２を透過して、第１出射面６１ｄから出射される。また、Ｂ固体発光素子３１から出射されたＢ色光は、第２入射面６１ｂから第１プリズム６１に入射し、第２誘電体多層膜６３２を透過しつつ、第１誘電体多層膜６３１で反射して略９０°進行方向が変更されることにより、第１出射面６１ｄから出射される。さらに、Ｒ固体発光素子４１から出射されたＲ色光は、第３入射面６１ｃから第１プリズム６１に入射し、第１誘電体多層膜６３１を透過しつつ、第２誘電体多層膜６３２で反射して略９０°進行方向が変更されることにより、第１出射面６１ｄから出射される。
【００３６】
第２プリズム６２は、２つの直角プリズム６２１，６２２を貼り合わせた平面視略正方形状を有する。ここで、第２プリズム６２の平面形状は、第１プリズム６１の平面形状と同一に設定されている。そして、第２プリズム６２は、平面視略正方形状の四辺のうち、１辺に相当する外面が第１出射面６１ｄに当接し、第１プリズム６１との間で図２中、左右方向に延在した平面視長方形状をなすように配置されている。また、第２プリズム６２は、直角プリズム６２１，６２２を貼り合わせた界面が第２誘電体多層膜６３２に平行となるように配置されている。なお、以下では、第２プリズム６２において、第１出射面６１ｄに当接する外面を当接面６２ａと記載し、第２入射面６１ｂを延長させた外面を第４入射面６２ｂと記載し、第３入射面６１ｃを延長させた外面を第５入射面６２ｃと記載し、当接面６２ａに平行となる外面を第２出射面６２ｄと記載する。
そして、Ｖ固体発光素子５１は、第５入射面６２ｃとの間にコリメートレンズ等の光学系（図示略）を介して正面側が当該第５入射面６２ｃに対向するように配置される。
【００３７】
また、直角プリズム６２１，６２２を貼り合わせた界面には、第３誘電体多層膜６３３が形成されている。
第３誘電体多層膜６３３は、本発明に係る第３色分離面に相当する。本実施の形態１では、第３誘電体多層膜６３３は、４５０ｎｍを超える波長の光を透過し、４５０ｎｍ以下の波長の光を反射する誘電体多層膜（ハイパスフィルタ）で構成されている。
そして、第１出射面６１ｄから出射されたＧ，Ｂ，Ｒ色光は、当接面６２ａから第２プリズム６２に入射し、第３誘電体多層膜６３３を透過して、第２出射面６２ｄから出射される。また、Ｖ固体発光素子５１から出射されたＶ色光は、第５入射面６２ｃから第２プリズム６２に入射し、第３誘電体多層膜６３３で反射して略９０°進行方向が変更されることにより、第２出射面６２ｄから出射される。
以上のように、色合成光学装置６０は、Ｇ，Ｂ，Ｒ，Ｖ色光を合成可能とする。
【００３８】
ここで、本実施の形態１では、光源装置３は、制御装置９による制御の下、以下に示す白色光モード及びＮＢＩ（Narrow Band Imaging）モードの２つの動作モードで動作する。
白色光モードでは、Ｇ，Ｂ，Ｒ固体発光素子２１，３１，４１のみが駆動する。そして、光源装置３（色合成光学装置６０）は、Ｇ，Ｂ，Ｒ色光を合成して白色光を出射する。
ＮＢＩモードでは、Ｂ，Ｖ固体発光素子３１，５１のみが駆動する。そして、光源装置３（色合成光学装置６０）は、Ｂ，Ｖ色光を合成して出射する。
【００３９】
外装筐体７０は、全体略直方体形状を有し、Ｇ，Ｂ，Ｒ，Ｖ光源部２０，３０，４０，５０及び色合成光学装置６０が内部に収納される。なお、以下では、外装筐体７０において、天面及び底面を除く４つの側壁のうち、第２出射面６２ｄ側の側壁を前面部７０ａと記載し、第２入射面６１ｂ側の側壁を第１側壁部７０ｂと記載し、第３入射面６１ｃ及び第５入射面６２ｃ側の側壁を第２側壁部７０ｃと記載し、第１入射面６１ａ側の側壁を背面部７０ｄと記載する。
前面部７０ａにおいて、第２出射面６２ｄに対向する位置には、ライトガイド４の一端が接続される出射孔７１が形成されている。そして、第２出射面６２ｄから出射された光は、光学系（図示略）及び出射孔７１を介して、ライトガイド４の一端に供給される。
【００４０】
第１側壁部７０ｂにおいて、前面部７０ａ側の位置には、外装筐体７０外部の冷却空気を内部に取り込むための第１吸気孔７２が形成されている。
同様に、第２側壁部７０ｃにおいて、前面部７０ａ側の位置には、外装筐体７０外部の空気を内部に取り込むための第２吸気孔７３が形成されている。
ここで、第１，第２吸気孔７２，７３は、本発明に係る吸気孔に相当する。
背面部７０ｄにおいて、第１側壁部７０ｂ側の位置には、外装筐体７０内部の空気を外部に排出するための第１排気孔７４が形成されている。
同様に、背面部７０ｄにおいて、第２側壁部７０ｃ側の位置には、外装筐体７０内部の空気を外部に排出するための第２排気孔７５が形成されている。
【００４１】
また、外装筐体７０内には、複数の冷却ファン（図示略）が設けられているとともに、当該複数の冷却ファンの駆動に応じて冷却空気をそれぞれ流通させる第１，第２冷却流路ＦＰ１，ＦＰ２が設けられている。なお、第１，第２冷却流路ＦＰ１，ＦＰ２は、整流板（図示略）等により、互いに独立した流路となっている。
第１冷却流路ＦＰ１は、第１吸気孔７２から第１排気孔７４に至る流路である。この第１冷却流路ＦＰ１内には、Ｇ，Ｂ放熱器２２，３２が配設されている。すなわち、冷却ファン（図示略）の駆動に応じて第１吸気孔７２を介して外装筐体７０内部に取り込まれた空気は、第１冷却流路ＦＰ１を辿って流通することにより、Ｂ放熱器３２及びＧ放熱器２２を冷却し、第１排気孔７４を介して外装筐体７０外部に排出される。
第２冷却流路ＦＰ２は、第２吸気孔７３から第２排気孔７５に至る流路である。この第２冷却流路ＦＰ内には、Ｒ，Ｖ放熱器４２，５２が配設されている。すなわち、冷却ファン（図示略）の駆動に応じて第２吸気孔７３を介して外装筐体７０内部に取り込まれた空気は、第２冷却流路ＦＰ２を辿って流通することにより、Ｖ放熱器５２及びＲ放熱器４２を冷却し、第２排気孔７５を介して外装筐体７０外部に排出される。
すなわち、第１，第２冷却流路ＦＰ１，ＦＰ２の一部は、色合成光学装置６０を挟む一方側及び他方側のそれぞれにおいて、Ｇ色光の中心軸にそれぞれ平行となるように設けられている。
【００４２】
以上説明した本実施の形態１によれば、以下の効果を奏する。
本実施の形態１に係る光源装置３では、Ｇ，Ｂ，Ｒ，Ｖ固体発光素子２１，３１，４１，５１からそれぞれ出射されたＧ，Ｂ，Ｒ，Ｖ色光を合成可能とする色合成光学装置６０を備える。この色合成光学装置６０は、互いに交差して設けられた第１，第２誘電体多層膜６３１，６３２と、当該第１，第２誘電体多層膜６３１，６３２の光路後段に設けられた第３誘電体多層膜６３３とを備える。すなわち、第１，第２誘電体多層膜６３１，６３２を互いに交差して設けているため、Ｂ，Ｒ固体発光素子３１，４１を光源装置３から出射される光の光軸（図２中、左右方向に沿う光軸（以下、出射光軸と記載））に沿って並列する必要がなく、当該出射光軸に沿う方向の略同一位置に設けることができる。
したがって、本実施の形態１に係る光源装置３によれば、出射光軸に沿う方向の長さ寸法を小さくすることができ、小型化を図ることができる、という効果を奏する。
【００４３】
また、本実施の形態１に係る光源装置３によれば、Ｇ，Ｂ，Ｒ，Ｖ光源部２０，３０，４０，５０を上述したように配設することで、第１〜第３誘電体多層膜６３１〜６３３をバンドパスフィルタではなく、安価なハイパスフィルタやローパスフィルタで構成することができる。
【００４４】
また、本実施の形態１に係る光源装置３では、外装筐体７０内には、互いに独立した第１，第２冷却流路ＦＰ１，ＦＰ２がそれぞれ設けられている。そして、Ｇ固体発光素子２１は、第１冷却流路ＦＰ１を流通する冷却空気により冷却される。Ｒ固体発光素子４１は、第２冷却流路ＦＰ２を流通する冷却空気により冷却される。このため、発熱量が比較的に大きいＧ，Ｒ固体発光素子２１，４１を互いに独立した第１，第２冷却流路ＦＰ１，ＦＰ２を利用してそれぞれ別々に冷却することができ、当該Ｇ，Ｒ固体発光素子２１，４１を効率的に冷却することができる。
【００４５】
また、本実施の形態１に係る光源装置３では、Ｂ固体発光素子３１は、第１冷却流路ＦＰ１を流通する冷却空気により冷却される。また、Ｂ固体発光素子３１とＲ固体発光素子４１とは、色合成光学装置６０を挟む一方側及び他方側にそれぞれ配設されている。さらに、第１，第２冷却流路ＦＰ１，ＦＰ２の一部は、色合成光学装置６０を挟む一方側及び他方側のそれぞれにおいて、Ｇ色光の中心軸にそれぞれ平行となるように設けられている。このため、Ｒ固体発光素子４１から離間し、Ｇ固体発光素子２１に近接したＢ固体発光素子３１を当該Ｇ固体発光素子２１と同一の第１冷却流路ＦＰ１を利用して冷却することができ、外装筐体７０内に設ける冷却流路が複雑化することがない。
【００４６】
また、本実施の形態１に係る光源装置３では、第１，第２吸気孔７２，７３と第１，第２排気孔７４，７５とは外装筐体７０における異なる側壁にそれぞれ設けられている。このため、第１，第２排気孔７４，７５から排出された空気（外装筐体７０内で温められた空気）が第１，第２吸気孔７２，７３から取り込まれることがない。すなわち、第１，第２吸気孔７２，７３を介して第１，第２冷却流路ＦＰ１，ＦＰ２に常時、新鮮な空気（比較的に温度の低い空気）を流通させることができ、Ｇ，Ｂ，Ｒ，Ｖ固体発光素子２１，３１，４１，５１を効果的に冷却することができる。
【００４７】
また、本実施の形態１に係る光源装置３では、色合成光学装置６０は、複数のプリズム６１１〜６１４，６２１，６２２が一体的に組み付けられたダイクロイックプリズムである。このため、第１，第２誘電体多層膜６３１，６３２を互いに交差させる構造を容易に実現することができる。
【００４８】
（実施の形態１の変形例１−１）
上述した実施の形態１では、Ｖ光源部５０（Ｖ固体発光素子５１）は、第５入射面６２ｃに対向するように配設されていたが、これに限らず、第４入射面６２ｂに対向するように配設しても構わない。この際、第３誘電体多層膜６３３については、第１誘電体多層膜６３１に平行となるように設ける。そして、当該構成では、第１冷却流路ＦＰ１内には、Ｇ，Ｂ，Ｖ放熱器２２，３２，５２が配設される。また、第２冷却流路ＦＰ２内には、Ｒ放熱器４２のみが配設される。
【００４９】
（実施の形態２）
次に、本発明の実施の形態２について説明する。
以下の説明では、上述した実施の形態１と同様の構成には同一符号を付し、その詳細な説明は省略または簡略化する。
図３は、本実施の形態２に係る光源装置３Ａの内部構成を示す図である。
本実施の形態２では、図３に示すように、上述した実施の形態１で説明した光源装置３（図２）の代わりに光源装置３Ａを採用している。なお、光源装置３Ａは、本発明に係る医療用光源装置に相当する。
【００５０】
以下、光源装置３Ａの構成について図３を参照しながら説明する。
光源装置３Ａでは、上述した実施の形態１で説明した光源装置３に対して、Ｒ光源部４０の配設位置にＡ光源部８０を配設している。
Ａ光源部８０は、橙の波長領域の色光（以下、Ａ色光と記載）を出射する部分である。このＡ光源部８０は、Ａ固体発光素子８１と、Ａ放熱器８２とを備える。
Ａ固体発光素子８１は、本発明に係る第３固体発光素子に相当する。また、Ａ色光は、本発明に係る第３色光に相当する。本実施の形態２では、Ａ固体発光素子８１は、Ｇ色光ではなくＡ色光を出射する点以外はＧ固体発光素子２１と同様の構成を有する。
ここで、Ａ色光は、例えば、ピーク波長が５９０〜６２０ｎｍの波長帯域の範囲にある色光である。
そして、Ａ固体発光素子８１は、第３入射面６１ｃとの間にコリメートレンズ等の光学系（図示略）を介して正面側が当該第３入射面６１ｃに対向するように配置される。
Ａ放熱器８２は、Ａ固体発光素子８１が実装された回路基板（図示略）の裏面に設けられ、Ａ固体発光素子８１の駆動時に発生した熱を外部に放熱する。本実施の形態２では、Ａ放熱器８２は、Ｇ放熱器２２と同様の構成を有する。
【００５１】
また、光源装置３Ａでは、上述した実施の形態１で説明した光源装置３に対して、Ｖ光源部５０の配設位置にＲ光源部４０を配設している。
ここで、Ｒ固体発光素子４１は、第５入射面６２ｃとの間にコリメートレンズ等の光学系（図示略）を介して正面側が当該第５入射面６２ｃに対向するように配置される。本実施の形態２では、Ｒ固体発光素子４１は、本発明に係る第４固体発光素子に相当する。また、Ｒ色光は、第４色光に相当する。
すなわち、本実施の形態２では、第２冷却流路ＦＰ２内には、Ｒ，Ａ放熱器４２，８２が配設されている。
【００５２】
また、光源装置３Ａでは、上述した実施の形態１で説明した光源装置３に対して、第３入射面６１ｃに対向させてＡ固体発光素子８１を配設したことに伴い、第２誘電体多層膜６３２の代わりに第４誘電体多層膜６３４を採用している。
第４誘電体多層膜６３４は、本発明に係る第２色分離面に相当する。本実施の形態２では、第４誘電体多層膜６３４は、５９０ｎｍ未満の波長の光を透過し、５９０ｎｍ以上の波長の光を反射する誘電体多層膜（ローパスフィルタ）で構成されている。
そして、Ｇ固体発光素子２１から出射されたＧ色光は、第１入射面６１ａから第１プリズム６１に入射し、第１，第４誘電体多層膜６３１，６３４を透過して、第１出射面６１ｄから出射される。また、Ｂ固体発光素子３１から出射されたＢ色光は、第２入射面６１ｂから第１プリズム６１に入射し、第４誘電体多層膜６３４を透過しつつ、第１誘電体多層膜６３１で反射して略９０°進行方向が変更されることにより、第１出射面６１ｄから出射される。さらに、Ａ固体発光素子８１から出射されたＡ色光は、第３入射面６１ｃから第１プリズム６１に入射し、第１誘電体多層膜６３１を透過しつつ、第４誘電体多層膜６３４で反射して略９０°進行方向が変更されることにより、第１出射面６１ｄから出射される。
【００５３】
さらに、光源装置３Ａでは、上述した実施の形態１で説明した光源装置３に対して、第５入射面６２ｃに対向させてＲ固体発光素子４１を配設したことに伴い、第３誘電体多層膜６３３の代わりに第２誘電体多層膜６３２を採用している。
本実施の形態２では、第２誘電体多層膜６３２は、本発明に係る第３色分離面に相当する。
そして、第１出射面６１ｄから出射されたＧ，Ｂ，Ａ色光は、当接面６２ａから第２プリズム６２に入射し、第２誘電体多層膜６３２を透過して、第２出射面６２ｄから出射される。また、Ｒ固体発光素子４１から出射されたＲ色光は、第５入射面６２ｃから第２プリズム６２に入射し、第２誘電体多層膜６３２で反射して略９０°進行方向が変更されることにより、第２出射面６２ｄから出射される。
以上のように、本実施の形態２に係る色合成光学装置６０は、Ｇ，Ｂ，Ａ，Ｒ色光を合成可能とする。すなわち、光源装置３Ａは、ライトガイド４の一端に、Ｇ，Ｂ，Ａ，Ｒ色光を供給可能とする。
【００５４】
ここで、本実施の形態２では、光源装置３Ａは、制御装置９による制御の下、上述した実施の形態１で説明した白色光モードと、以下に示す血管強調モードとの２つの動作モードで動作する。
血管強調モードでは、Ｇ，Ｒ，Ａ固体発光素子２１，４１，８１のみが駆動する。そして、光源装置３Ａ（色合成光学装置６０）は、Ｇ，Ｒ，Ａ色光を合成して出射する。
【００５５】
以上説明した本実施の形態２に係る光源装置３Ａを採用した場合であっても、上述した実施の形態１と同様の効果を奏する。
【００５６】
（実施の形態２の変形例２−１）
上述した実施の形態２において、Ｂ光源部３０及びＡ光源部８０の位置関係を逆にしても構わない。この際、第１，第４誘電体多層膜６３１，６３４の位置関係についても逆にする。そして、当該構成では、第１冷却流路ＦＰ１内には、Ｇ，Ａ放熱器２２，８２が配設される。また、第２冷却流路ＦＰ２内には、Ｂ，Ｒ放熱器３２，４２が配設される。
【００５７】
（実施の形態３）
次に、本発明の実施の形態３について説明する。
以下の説明では、上述した実施の形態１と同様の構成には同一符号を付し、その詳細な説明は省略または簡略化する。
図４は、本実施の形態３に係る光源装置３Ｂの内部構成を示す図である。
本実施の形態３では、図４に示すように、上述した実施の形態１で説明した光源装置３（図２）の代わりに光源装置３Ｂを採用している。なお、光源装置３Ｂは、本発明に係る医療用光源装置に相当する。
【００５８】
以下、光源装置３Ｂの構成について図４を参照しながら説明する。
光源装置３Ｂでは、上述した実施の形態１で説明した光源装置３に対して、Ｖ光源部５０の配設位置にＩＲ光源部９０を配設している。
ＩＲ光源部９０は、赤外の波長領域の色光（以下、ＩＲ色光と記載）を出射する部分である。このＩＲ光源部９０は、ＩＲ固体発光素子９１と、ＩＲ放熱器９２とを備える。
ＩＲ固体発光素子９１は、本発明に係る第４固体発光素子に相当する。また、ＩＲ色光は、本発明に係る第４色光に相当する。本実施の形態３では、ＩＲ固体発光素子９１は、Ｇ色光ではなくＩＲ色光を出射する点以外はＧ固体発光素子２１と同様の構成を有する。
ここで、ＩＲ色光は、例えば、ピーク波長が７５０ｎｍ以上の波長帯域の範囲にある色光である。
そして、ＩＲ固体発光素子９１は、第５入射面６２ｃとの間にコリメートレンズ等の光学系（図示略）を介して正面側が当該第５入射面６２ｃに対向するように配置される。
ＩＲ放熱器９２は、ＩＲ固体発光素子９１が実装された回路基板（図示略）の裏面に設けられ、ＩＲ固体発光素子９１の駆動時に発生した熱を外部に放熱する。本実施の形態３では、ＩＲ放熱器９２は、Ｇ放熱器２２と同様の構成を有する。
すなわち、本実施の形態３では、第２冷却流路ＦＰ２内には、Ｒ，ＩＲ放熱器４２，９２が配設されている。
【００５９】
また、光源装置３Ｂでは、上述した実施の形態１で説明した光源装置３に対して、第５入射面６２ｃに対向させてＩＲ固体発光素子９１を配設したことに伴い、第３誘電体多層膜６３３の代わりに第５誘電体多層膜６３５を採用している。
第５誘電体多層膜６３５は、本発明に係る第３色分離面に相当する。本実施の形態３では、第５誘電体多層膜６３５は、７５０ｎｍ未満の波長の光を透過し、７５０ｎｍ以上の波長の光を反射する誘電体多層膜（ローパスフィルタ）で構成されている。
そして、第１出射面６１ｄから出射されたＧ，Ｂ，Ｒ色光は、当接面６２ａから第２プリズム６２に入射し、第５誘電体多層膜６３５を透過して、第２出射面６２ｄから出射される。また、ＩＲ固体発光素子９１から出射されたＩＲ色光は、第５入射面６２ｃから第２プリズム６２に入射し、第５誘電体多層膜６３５で反射して略９０°進行方向が変更されることにより、第２出射面６２ｄから出射される。
以上のように、本実施の形態３に係る色合成光学装置６０は、Ｇ，Ｂ，Ｒ，ＩＲ色光を合成可能とする。すなわち、光源装置３Ｂは、ライトガイド４の一端に、Ｇ，Ｂ，Ｒ，ＩＲ色光を供給可能とする。
【００６０】
ここで、本実施の形態３では、光源装置３Ｂは、制御装置９による制御の下、上述した実施の形態１で説明した白色光モードと、以下に示す蛍光観察モードとの２つの動作モードで動作する。
蛍光観察モードでは、ＩＲ固体発光素子９１のみが駆動する。そして、光源装置３（色合成光学装置６０）は、ＩＲ色光のみ出射する。
【００６１】
以上説明した本実施の形態３に係る光源装置３Ｂを採用した場合であっても、上述した実施の形態１と同様の効果を奏する。
【００６２】
（実施の形態３の変形例３−１）
上述した実施の形態３では、ＩＲ光源部９０（ＩＲ固体発光素子９１）は、第５入射面６２ｃに対向するように配設されていたが、これに限らず、第４入射面６２ｂに対向するように配設しても構わない。この際、第５誘電体多層膜６３５については、第１誘電体多層膜６３１に平行となるように設ける。そして、当該構成では、第１冷却流路ＦＰ１内には、Ｇ，Ｂ，ＩＲ放熱器２２，３２，９２が配設される。また、第２冷却流路ＦＰ２内には、Ｒ放熱器４２のみが配設される。
【００６３】
（実施の形態４）
次に、本発明の実施の形態４について説明する。
以下の説明では、上述した実施の形態１と同様の構成には同一符号を付し、その詳細な説明は省略または簡略化する。
図５は、本実施の形態４に係る光源装置３Ｃの内部構成を示す図である。
本実施の形態４では、図５に示すように、上述した実施の形態１で説明した光源装置３（図２）の代わりに光源装置３Ｃを採用している。なお、光源装置３Ｃは、本発明に係る医療用光源装置に相当する。
【００６４】
以下、光源装置３Ｃの構成について図５を参照しながら説明する。
光源装置３Ｃでは、上述した実施の形態１で説明した光源装置３に対して、上述した実施の形態３で説明したＩＲ光源部９０が追加されている。
ここで、ＩＲ固体発光素子９１は、第４入射面６２ｂとの間にコリメートレンズ等の光学系（図示略）を介して正面側が当該第４入射面６２ｂに対向するように配置される。なお、本実施の形態４では、ＩＲ固体発光素子９１は、本発明に係る第４固体発光素子に相当する。また、ＩＲ色光は、本発明に係る第４色光に相当する。さらに、Ｖ固体発光素子５１は、本発明に係る第５固体発光素子に相当する。また、Ｖ色光は、本発明に係る第５色光に相当する。
すなわち、本実施の形態４では、第１冷却流路ＦＰ１内には、Ｇ，Ｂ，ＩＲ放熱器２２，３２，９２が配設されている。
【００６５】
また、光源装置３Ａでは、上述した実施の形態１で説明した光源装置３に対して、第４入射面６２ｂに対向させてＩＲ固体発光素子９１を配設したことに伴い、第２プリズム６２を第１プリズム６１と同様に４つの直角プリズム６２３〜６２６で構成している。
ここで、直角プリズム６２３〜６２６を貼り合わせた平面視Ｘ字状の各界面のうち、当接面６２ａ及び第５入射面６２ｃに跨る界面（第１誘電体多層膜６３１に平行となる界面）には、第５誘電体多層膜６３５が形成されている。一方、当接面６２ａ及び第４入射面６２ｂに跨る界面（第２誘電体多層膜６３２に平行となる界面）には、第３誘電体多層膜６３３が形成されている。なお、本実施の形態４では、第５誘電体多層膜６３５は、本発明に係る第３色分離面に相当する。また、第３誘電体多層膜６３３は、本発明に係る第４色分離面に相当する。
【００６６】
そして、第１出射面６１ｄから出射されたＧ，Ｂ，Ｒ色光は、当接面６２ａから第２プリズム６２に入射し、第３，第５誘電体多層膜６３３，６３５を透過して、第２出射面６２ｄから出射される。また、ＩＲ固体発光素子９１から出射されたＩＲ色光は、第４入射面６２ｂから第２プリズム６２に入射し、第３誘電体多層膜６３３を透過しつつ、第５誘電体多層膜６３５で反射して略９０°進行方向が変更されることにより、第２出射面６２ｄから出射される。さらに、Ｖ固体発光素子５１から出射されたＶ色光は、第５入射面６２ｃから第２プリズム６２に入射し、第５誘電体多層膜６３５を透過しつつ、第３誘電体多層膜６３３で反射して略９０°進行方向が変更されることにより、第２出射面６２ｄから出射される。
以上のように、本実施の形態４に係る色合成光学装置６０は、Ｇ，Ｂ，Ｒ，Ｖ，ＩＲ色光を合成可能とする。すなわち、光源装置３Ｃは、ライトガイド４の一端に、Ｇ，Ｂ，Ｒ，Ｖ，ＩＲ色光を供給可能とする。
【００６７】
ここで、本実施の形態４では、光源装置３Ｃは、制御装置９による制御の下、上述した実施の形態１で説明した白色光モード及びＮＢＩモードと上述した実施の形態３で説明した蛍光観察モードとの３つの動作モードで動作する。
【００６８】
以上説明した本実施の形態４によれば、上述した実施の形態１と同様の効果の他、以下の効果を奏する。
本実施の形態４に係る光源装置３Ｃでは、Ｇ，Ｂ，Ｒ，Ｖ，ＩＲ固体発光素子２１，３１，４１，５１，９１からそれぞれ出射されたＧ，Ｂ，Ｒ，Ｖ，ＩＲ色光を合成可能とする色合成光学装置６０を備える。この色合成光学装置６０は、互いに交差して設けられた第１，第２誘電体多層膜６３１，６３２と、当該第１，第２誘電体多層膜６３１，６３２の光路後段に設けられ、互いに交差して設けられた第３，第５誘電体多層膜６３３，６３５を備える。すなわち、第３，第５誘電体多層膜６３３，６３５を互いに交差して設けているため、Ｖ，ＩＲ固体発光素子５１，９１を出射光軸に沿って並列する必要がなく、当該出射光軸に沿う方向の略同一位置に設けることができる。
したがって、本実施の形態４に係る光源装置３Ｃによれば、Ｇ，Ｂ，Ｒ，Ｂ，ＩＲ固体発光素子２１，３１，４１，５１，９１の５つの固体発光素子を採用した場合であっても、出射光軸に沿う方向の長さ寸法を小さくすることができ、小型化を図ることができる。
【００６９】
（実施の形態４の変形例４−１）
上述した実施の形態４において、Ｖ光源部５０及びＩＲ光源部９０の位置関係を逆にしても構わない。この際、第３，第５誘電体多層膜６３３，６３５の位置関係についても逆にする。そして、当該構成では、第１冷却流路ＦＰ１内には、Ｇ，Ｂ，Ｖ放熱器２２，３２，５２が配設される。また、第２冷却流路ＦＰ２内には、Ｒ，ＩＲ放熱器４２，９２が配設される。
【００７０】
（実施の形態５）
次に、本発明の実施の形態５について説明する。
以下の説明では、上述した実施の形態１と同様の構成には同一符号を付し、その詳細な説明は省略または簡略化する。
図６は、本実施の形態５に係る光源装置３Ｄの内部構成を示す図である。
本実施の形態５では、図６に示すように、上述した実施の形態１で説明した光源装置３（図２）の代わりに光源装置３Ｄを採用している。なお、光源装置３Ｄは、本発明に係る医療用光源装置に相当する。
【００７１】
以下、光源装置３Ｄの構成について図６を参照しながら説明する。
光源装置３Ｄでは、上述した実施の形態１で説明した光源装置３に対して、上述した実施の形態２と同様に、Ｒ光源部４０の配設位置にＡ光源部８０を配設するとともに、Ｖ光源部５０の配設位置にＲ光源部４０を配設している。本実施の形態５では、Ａ固体発光素子８１は、本発明に係る第３固体発光素子に相当する。また、Ａ色光は、本発明に係る第３色光に相当する。さらに、Ｒ固体発光素子４１は、本発明に係る第４固体発光素子に相当する。また、Ｒ色光は、本発明に係る第４色光に相当する。
すなわち、本実施の形態５では、上述した実施の形態２と同様に、第２冷却流路ＦＰ２内には、Ｒ，Ａ放熱器４２，８２が配設されている。
【００７２】
また、光源装置３Ｄでは、上述した実施の形態１で説明した光源装置３に対して、第４入射面６２ｂに対向する位置にＶ光源部５０を配設している。
ここで、Ｖ固体発光素子５１は、第４入射面６２ｂとの間にコリメートレンズ等の光学系（図示略）を介して正面側が当該第４入射面６２ｂに対向するように配置される。本実施の形態５では、Ｖ固体発光素子５１は、本発明に係る第５固体発光素子に相当する。また、Ｖ色光は、本発明に係る第５色光に相当する。
すなわち、本実施の形態５では、第１冷却流路ＦＰ１内には、Ｇ，Ｂ，Ｖ放熱器２２，３２，５２が配設されている。
【００７３】
また、光源装置３Ｄでは、上述した実施の形態１で説明した光源装置３に対して、第４入射面６２ｂに対向させてＶ固体発光素子５１を配設し、第５入射面６２ｃに対向させてＲ固体発光素子４１を配設したことに伴い、上述した実施の形態４と同様に、第２プリズム６２を４つの直角プリズム６２３〜６２６で構成している。
本実施の形態５に係る第２プリズム６２では、上述した実施の形態４で説明した第２プリズム６２に対して、第５誘電体多層膜６３５の代わりに第３誘電体多層膜６３３を採用し、第３誘電体多層膜６３３の代わりに第２誘電体多層膜６３２を採用している。本実施の形態５では、第２誘電体多層膜６３２は、本発明に係る第３色分離面に相当する。また、第３誘電体多層膜６３３は、本発明に係る第４色分離面に相当する。
【００７４】
そして、第１出射面６１ｄから出射されたＧ，Ｂ，Ａ色光は、当接面６２ａから第２プリズム６２に入射し、第２，第３誘電体多層膜６３２，６３３を透過して、第２出射面６２ｄから出射される。また、Ｖ固体発光素子５１から出射されたＶ色光は、第４入射面６２ｂから第２プリズム６２に入射し、第２誘電体多層膜６３２を透過しつつ、第３誘電体多層膜６３３で反射して略９０°進行方向が変更されることにより、第２出射面６２ｄから出射される。さらに、Ｒ固体発光素子４１から出射されたＲ色光は、第５入射面６２ｃから第２プリズム６２に入射し、第３誘電体多層膜６３３を透過しつつ、第２誘電体多層膜６３２で反射して略９０°進行方向が変更されることにより、第２出射面６２ｄから出射される。
以上のように、本実施の形態５に係る色合成光学装置６０は、Ｇ，Ｂ，Ｒ，Ａ，Ｖ色光を合成可能とする。すなわち、光源装置３Ｄは、ライトガイド４の一端に、Ｇ，Ｂ，Ｒ，Ａ，Ｖ色光を供給可能とする。
【００７５】
ここで、本実施の形態５では、光源装置３Ｄは、制御装置９による制御の下、上述した実施の形態１で説明した白色光モード及びＮＢＩモードと上述した実施の形態２で説明した血管強調モードとの３つの動作モードで動作する。
【００７６】
以上説明した本実施の形態５に係る光源装置３Ｄを採用した場合であっても、上述した実施の形態１，４と同様の効果を奏する。
【００７７】
（実施の形態５の変形例５−１）
上述した実施の形態５において、Ｂ光源部３０及びＡ光源部８０の位置関係を逆にしても構わない。この際、第１，第４誘電体多層膜６３１，６３４の位置関係についても逆にする。そして、当該構成では、第１冷却流路ＦＰ１内には、Ｇ，Ｖ，Ａ放熱器２２，５２，８２が配設される。また、第２冷却流路ＦＰ２内には、Ｂ，Ｒ放熱器３２，４２が配設される。
【００７８】
（実施の形態６）
次に、本発明の実施の形態６について説明する。
以下の説明では、上述した実施の形態５と同様の構成には同一符号を付し、その詳細な説明は省略または簡略化する。
図７は、本実施の形態６に係る光源装置３Ｅの内部構成を示す図である。
本実施の形態６では、図７に示すように、上述した実施の形態５で説明した光源装置３Ｄ（図６）の代わりに光源装置３Ｅを採用している。なお、光源装置３Ｅは、本発明に係る医療用光源装置に相当する。
【００７９】
以下、光源装置３Ｅの構成について図７を参照しながら説明する。
光源装置３Ｅでは、上述した実施の形態５で説明した光源装置３Ｄに対して、上述した実施の形態４と同様に、Ｖ光源部５０の配設位置にＩＲ光源部９０を配設している。本実施の形態６では、ＩＲ固体発光素子９１は、本発明に係る第５固体発光素子に相当する。また、ＩＲ色光は、本発明に係る第５色光に相当する。
すなわち、本実施の形態６では、上述した実施の形態４と同様に、第１冷却流路ＦＰ１内には、Ｇ，Ｂ，ＩＲ放熱器２２，３２，９２が配設されている。
【００８０】
また、光源装置３Ｅでは、上述した実施の形態５で説明した光源装置３Ｄに対して、第４入射面６２ｂに対向してＩＲ固体発光素子９１を配設したことに伴い、第３誘電体多層膜６３３の代わりに第５誘電体多層膜６３５を採用している。本実施の形態６では、第５誘電体多層膜６３５は、本発明に係る第４色分離面に相当する。
そして、第１出射面６１ｄから出射されたＧ，Ｂ，Ａ色光は、当接面６２ａから第２プリズム６２に入射し、第２，第５誘電体多層膜６３２，６３５を透過して、第２出射面６２ｄから出射される。また、ＩＲ固体発光素子９１から出射されたＩＲ色光は、第４入射面６２ｂから第２プリズム６２に入射し、第２誘電体多層膜６３２を透過しつつ、第５誘電体多層膜６３５で反射して略９０°進行方向が変更されることにより、第２出射面６２ｄから出射される。さらに、Ｒ固体発光素子４１から出射されたＲ色光は、第５入射面６２ｃから第２プリズム６２に入射し、第５誘電体多層膜６３５を透過しつつ、第２誘電体多層膜６３２で反射して略９０°進行方向が変更されることにより、第２出射面６２ｄから出射される。
以上のように、本実施の形態６に係る色合成光学装置６０は、Ｇ，Ｂ，Ｒ，Ａ，ＩＲ色光を合成可能とする。すなわち、光源装置３Ｅは、ライトガイド４の一端に、Ｇ，Ｂ，Ｒ，Ａ，ＩＲ色光を供給可能とする。
【００８１】
ここで、本実施の形態６では、光源装置３Ｅは、制御装置９による制御の下、上述した実施の形態１で説明した白色光モードと上述した実施の形態２で説明した血管強調モードと上述した実施の形態３で説明した蛍光観察モードとの３つの動作モードで動作する。
【００８２】
以上説明した本実施の形態６に係る光源装置３Ｅを採用した場合であっても、上述した実施の形態１，４と同様の効果を奏する。
【００８３】
（実施の形態６の変形例６−１）
上述した実施の形態６において、Ｂ光源部３０及びＡ光源部８０の位置関係を逆にしても構わない。この際、第１，第４誘電体多層膜６３１，６３４の位置関係についても逆にする。そして、当該構成では、第１冷却流路ＦＰ１内には、Ｇ，Ａ，ＩＲ放熱器２２，８２，９２が配設される。また、第２冷却流路ＦＰ２内には、Ｂ，Ｒ放熱器３２，４２が配設される。
【００８４】
（実施の形態７）
次に、本発明の実施の形態７について説明する。
以下の説明では、上述した実施の形態６と同様の構成には同一符号を付し、その詳細な説明は省略または簡略化する。
図８は、本実施の形態７に係る光源装置３Ｆの内部構成を示す図である。
本実施の形態７では、図８に示すように、上述した実施の形態６で説明した光源装置３Ｅ（図７）の代わりに光源装置３Ｆを採用している。なお、光源装置３Ｆは、本発明に係る医療用光源装置に相当する。
【００８５】
以下、光源装置３Ｆの構成について図８を参照しながら説明する。
光源装置３Ｆでは、上述した実施の形態６で説明した光源装置３Ｅに対して、Ｖ光源部５０を追加するとともに、色合成光学装置６０に第３プリズム６４を追加している。
第３プリズム６４は、２つの直角プリズム６４１，６４２を貼り合わせた平面視略正方形状を有する。ここで、第３プリズム６４の平面形状は、第１，第２プリズム６１，６２の平面形状と同一に設定されている。そして、第３プリズム６４は、平面視略正方形状の四辺のうち、１辺に相当する外面が第２出射面６２ｄに当接し、第１，第２プリズム６１，６２との間で図８中、左右方向に延在した平面視長方形状をなすように配置されている。また、第３プリズム６４は、直角プリズム６４１，６４２を貼り合わせた界面が第２誘電体多層膜６３２に平行となるように配置されている。なお、以下では、第３プリズム６４において、第２出射面６２ｄに当接する外面を当接面６４ａと記載し、第４入射面６２ｂを延長させた外面を第６入射面６４ｂと記載し、第５入射面６２ｃを延長させた外面を第７入射面６４ｃと記載し、当接面６４ａに平行となる外面を第３出射面６４ｄと記載する。
そして、Ｖ固体発光素子５１は、第７入射面６４ｃとの間にコリメートレンズ等の光学系（図示略）を介して正面側が当該第７入射面６４ｃに対向するように配置される。本実施の形態７では、Ｖ固体発光素子５１は、本発明に係る第５固体発光素子に相当する。また、Ｖ色光は、本発明に係る第５色光に相当する。さらに、ＩＲ固体発光素子９１は、本発明に係る第６固体発光素子に相当する。また、ＩＲ色光は、本発明に係る第６色光に相当する。
すなわち、本実施の形態７では、第２冷却流路ＦＰ２内には、Ｒ，Ｖ，Ａ放熱器４２，５２，８２が配設されている。
【００８６】
また、直角プリズム６４１，６４２を貼り合わせた界面には、第３誘電体多層膜６３３が形成されている。本実施の形態７では、第３誘電体多層膜６３３は、本発明に係る第５色分離面に相当する。
そして、第２出射面６２ｄから出射されたＧ，Ｂ，Ｒ，Ａ，ＩＲ色光は、当接面６４ａから第３プリズム６４に入射し、第３誘電体多層膜６３３を透過して、第３出射面６４ｄから出射される。また、Ｖ固体発光素子５１から出射されたＶ色光は、第７入射面６４ｃから第３プリズム６４に入射し、第３誘電体多層膜６３３で反射して略９０°進行方向が変更されることにより、第３出射面６４ｄから出射される。
以上のように、本実施の形態７に係る色合成光学装置６０は、Ｇ，Ｂ，Ｒ，Ｖ，Ａ，ＩＲ色光を合成可能とする。すなわち、光源装置３Ｆは、ライトガイド４の一端に、Ｇ，Ｂ，Ｒ，Ｖ，Ａ，ＩＲ色光を供給可能とする。
【００８７】
ここで、本実施の形態７では、光源装置３Ｆは、制御装置９による制御の下、上述した実施の形態１で説明した白色光モード及びＮＢＩモードと上述した実施の形態２で説明した血管強調モードと上述した実施の形態３で説明した蛍光観察モードとの４つの動作モードで動作する。
【００８８】
以上説明した本実施の形態７に係る光源装置３Ｆを採用した場合であっても、上述した実施の形態１，４と同様の効果を奏する。
【００８９】
（実施の形態７の変形例７−１）
上述した実施の形態７において、Ｂ光源部３０及びＡ光源部８０の位置関係を逆にしても構わない。この際、第１，第４誘電体多層膜６３１，６３４の位置関係についても逆にする。そして、当該構成では、第１冷却流路ＦＰ１内には、Ｇ，Ａ，ＩＲ放熱器２２，８２，９２が配設される。また、第２冷却流路ＦＰ２内には、Ｂ，Ｒ，Ｖ放熱器３２，４２，５２が配設される。
【００９０】
（実施の形態７の変形例７−２）
上述した実施の形態７において、Ｖ光源部５０及びＩＲ光源部９０の位置関係を逆にしても構わない。この際、第３，第５誘電体多層膜６３３，６３５の位置関係についても逆にする。そして、当該構成では、第１冷却流路ＦＰ１内には、Ｇ，Ｂ，Ｖ放熱器２２，３２，５２が配設される。また、第２冷却流路ＦＰ２内には、Ｒ，Ａ，ＩＲ放熱器４２，８２，９２が配設される。
【００９１】
（実施の形態７の変形例７−３）
上述した実施の形態７において、Ｂ光源部３０及びＡ光源部８０の位置関係を逆にするとともに、Ｖ光源部５０及びＩＲ光源部９０の位置関係を逆にしても構わない。この際、第１，第４誘電体多層膜６３１，６３４の位置関係、及び第３，第５誘電体多層膜６３３，６３５の位置関係についても逆にする。そして、当該構成では、第１冷却流路ＦＰ１内には、Ｇ，Ｖ，Ａ放熱器２２，５２，８２が配設される。また、第２冷却流路ＦＰ２内には、Ｂ，Ｒ，ＩＲ放熱器３２，４２，９２が配設される。
【００９２】
（実施の形態７の変形例７−４）
上述した実施の形態７において、ＩＲ光源部９０の配設位置にＶ光源部５０を配設し、ＩＲ光源部９０（ＩＲ固体発光素子９１）を第６入射面６４ｂに対向するように設けても構わない。この際、第５誘電体多層膜６３５の配設位置に第３誘電体多層膜６３３を設け、当該第３誘電体多層膜６３３に平行となるように第３プリズム６４に第５誘電体多層膜６３５を設ける。そして、当該構成では、第１冷却流路ＦＰ１内には、Ｇ，Ｂ，Ｖ，ＩＲ放熱器２２，３２，５２，９２が配設される。また、第２冷却流路ＦＰ２内には、Ｒ，Ａ放熱器４２，８２が配設される。
【００９３】
（実施の形態７の変形例７−５）
上述した変形例７−４において、Ｂ光源部３０及びＡ光源部８０の位置関係を逆にしても構わない。この際、第１，第４誘電体多層膜６３１，６３４の位置関係についても逆にする。そして、当該構成では、第１冷却流路ＦＰ１内には、Ｇ，Ｖ，Ａ，ＩＲ放熱器２２，５２，８２，９２が配設される。また、第２冷却流路ＦＰ２内には、Ｂ，Ｒ放熱器３２，４２が配設される。
【００９４】
（実施の形態７の変形例７−６）
上述した変形例７−４において、Ｖ光源部５０及びＩＲ光源部９０の位置関係を逆にしても構わない。この際、第３，第５誘電体多層膜６３３，６３５の位置関係についても逆にする。そして、当該構成では、上述した変形例７−４と同様に、第１冷却流路ＦＰ１内には、Ｇ，Ｂ，Ｖ，ＩＲ放熱器２２，３２，５２，９２が配設される。また、第２冷却流路ＦＰ２内には、Ｒ，Ａ放熱器４２，８２が配設される。
【００９５】
（実施の形態７の変形例７−７）
上述した変形例７−５において、Ｖ光源部５０及びＩＲ光源部９０の位置関係を逆にしても構わない。この際、第３，第５誘電体多層膜６３３，６３５の位置関係についても逆にする。そして、当該構成では、上述した変形例７−５と同様に、第１冷却流路ＦＰ１内には、Ｇ，Ｖ，Ａ，ＩＲ放熱器２２，５２，８２，９２が配設される。また、第２冷却流路ＦＰ２内には、Ｂ，Ｒ放熱器３２，４２が配設される。
【００９６】
図９及び図１０は、本実施の形態１〜７及び変形例１−１，２−１，３−１，４−１，５−１，６−１，７−１〜７−７における各光源部２０，３０，４０，５０，８０，９０の配置パターンを説明する図である。なお、図９に記載した「Ｇ」は、Ｇ光源部２０を示している。図９に記載した「Ｂ」は、Ｂ光源部３０を示している。図９に記載した「Ｒ」は、Ｒ光源部４０を示している。図９に記載した「Ｖ」は、Ｖ光源部５０を示している。図９に記載した「Ａ」は、Ａ光源部８０を示している。図９に記載した「ＩＲ」は、ＩＲ光源部９０を示している。図９に記載した「−」は、各光源部２０，３０，４０，５０，８０．９０のいずれの光源部も配置されていないことを示している。また、図９に示した「配置（１）」〜「配置（７）」は、図１０に示した「配置（１）」〜「配置（７）」に対応している。ここで、配置（１），（２），（５），（６）は、第１冷却流路ＦＰ１内に位置する。また、配置（３），（４），（７）は、第２冷却流路ＦＰ２内に位置する。
以上説明した本実施の形態１〜７及び変形例１−１，２−１，３−１，４−１，５−１，６−１，７−１〜７−７における各光源部２０，３０，４０，５０，８０，９０の配置パターンは、図９及び図１０に示した通りである。
【００９７】
（その他の実施の形態）
ここまで、本発明を実施するための形態を説明してきたが、本発明は上述した実施の形態１〜７及び変形例１−１，２−１，３−１，４−１，５−１，６−１，７−１〜７−７によってのみ限定されるべきものではない。
図１１は、本実施の形態１〜７の変形例を示す図である。具体的に、図１１は、本変形例に係る光源装置３Ｇを背面下方側から見た図である。なお、光源装置３Ｇは、本発明に係る医療用光源装置に相当する。
なお、図１１では、外装筐体７０において、天面を構成する側壁を天面部７０ｅとし、底面を構成する側壁を底面部７０ｆとしている。
上述した実施の形態１〜７及び変形例１−１，２−１，３−１，４−１，５−１，６−１，７−１〜７−７において、図１１に示すように、第１，第２排気孔７４，７５から排出された空気（外装筐体７０内で温められた空気）が第１，第２側壁部７０ｂ，７０ｃ側や底面部７０ｆ側を経由して第１，第２吸気孔７２，７３から取り込まれることを防止する構造を採用しても構わない。
具体的に、第１側壁部７０ｂの外面には、図１１に示すように、一対の遮蔽部材７７ａ，７７ｂが取り付けられている。なお、具体的な図示は省略したが、第２側壁部７０ｃの外面にも同様に、一対の遮蔽部材７７ａ，７７ｂが取り付けられている。
一対の遮蔽部材７７ａ，７７ｂは、第１側壁部７０ｂの外面からそれぞれ突出し、天面部７０ｅ側から底面部７０ｆ側にかけてそれぞれ延在する長尺状の部材で構成されている。そして、一対の遮蔽部材７７ａ，７７ｂは、第１吸気孔７２に対して背面部７０ｄ側において、一定の間隔を空けて第１側壁部７０ｂの外面に取り付けられている。
【００９８】
また、底面部７０ｆには、図１１に示すように、絞り加工等により第１〜第３膨出部７８ａ〜７８ｃが設けられている。
第１，第２膨出部７８ａ，７８ｂは、底面部７０ｆの外面において、当該外面に設けられた４つの脚部７６で囲まれる矩形領域の略全体に亘って設けられ、当該脚部７６と略同一の高さ寸法（底面部７０ｆからの突出寸法）をそれぞれ有する。
第３膨出部７８ｃは、底面部７０ｆの外面において、第１，第２膨出部７８ａ，７８ｂに対して背面部７０ｄ側に位置し、第１側壁部７０ｂ側から第２側壁部７０ｃ側にかけて延在するように形成されている。なお、第３膨出部７８ｃは、脚部７６と略同一の高さ寸法を有する。
【００９９】
図１２は、本実施の形態１〜７の変形例を示す図である。具体的に、図１２は、本変形例に係る光源装置３Ｈを背面下方側から見た図である。なお、光源装置３Ｈは、本発明に係る医療用光源装置に相当する。
また、図１１に示した変形例において、図１２に示すように、第１〜第３膨出部７８ａ〜７８ｃの高さ寸法を４つの脚部７６の高さ寸法よりも小さく設定するとともに、当該寸法差を補うように、当該第１〜第３膨出部７８ａ〜７８ｃ上に遮蔽部材７７ａ，７７ｂと同様の遮蔽部材７９ａ〜７９ｆを取り付けた構成としても構わない。
【０１００】
図１３は、本実施の形態１〜７の変形例を示す図である。
なお、図１３では、第１プリズム６１と同様の外形形状を有する第１プリズム６１Ａにおいて、天面を６１ｅとし、底面を６１ｆとしている。
上述した実施の形態１〜７及び変形例１−１，２−１，３−１，４−１，５−１，６−１，７−１〜７−７では、２つの誘電体多層膜をＸ字状に交差させていたが、これに限らず、互いに交差していれば、例えば、図１３に示す構成を採用しても構わない。
例えば、図１３に示す例では、第１誘電体多層膜６３１は、第１入射面６１ａ及び天面６１ｅ間の縁部から第１出射面６１ｄ及び底面６１ｆ間の縁部に向けて延在するように設けられている。一方、第２誘電体多層膜６３２は、第１，第３入射面６１ａ，６１ｃ間の縁部から第２入射面６１ｂ及び第１出射面６１ｄ間の縁部に向けて延在するように設けられている。そして、Ｇ固体発光素子２１は、第１入射面６１ａに対向するように配設される。また、Ｂ固体発光素子３１は、天面６１ｅに対向するように配設される。さらに、Ｒ固体発光素子４１は、第３入射面６１ｃに対向するように配設される。
そして、Ｇ固体発光素子２１から出射されたＧ色光は、第１入射面６１ａから第１プリズム６１Ａに入射し、第１，第２誘電体多層膜６３１，６３２を透過して、第１出射面６１ｄから出射される。また、Ｂ固体発光素子３１から出射されたＢ色光は、天面６１ｅから第１プリズム６１Ａに入射し、第２誘電体多層膜６３２を透過しつつ、第１誘電体多層膜６３１で反射して略９０°進行方向が変更されることにより、第１出射面６１ｄから出射される。さらに、Ｒ固体発光素子４１から出射されたＲ色光は、第３入射面６１ｃから第１プリズム６１Ａに入射し、第１誘電体多層膜６３１を透過しつつ、第２誘電体多層膜６３２で反射して略９０°進行方向が変更されることにより、第１出射面６１ｄから出射される。
【０１０１】
上述した実施の形態１〜７及び変形例１−１，２−１，３−１，４−１，５−１，６−１，７−１〜７−７では、本発明に係る第１〜第５固体発光素子をＬＥＤチップで構成していたが、これに限らず、レーザダイオードで構成しても構わない。
上述した実施の形態１〜７及び変形例１−１，２−１，３−１，４−１，５−１，６−１，７−１〜７−７では、Ｇ，Ｂ，Ｒ，Ｖ，Ａ，ＩＲ放熱器２２，３２，４２，５２，８２，９２は、Ｇ，Ｂ，Ｒ，Ｖ，Ａ，ＩＲ固体発光素子２１，３１，４１，５１，８１，９１にそれぞれ近接して配設されていたが、これに限らない。例えば、Ｇ，Ｂ，Ｒ，Ｖ，Ａ，ＩＲ放熱器２２，３２，４２，５２，８２，９２とＧ，Ｂ，Ｒ，Ｖ，Ａ，ＩＲ固体発光素子２１，３１，４１，５１，８１，９１とを離間し、それぞれをヒートパイプ等で熱伝達可能に接続しても構わない。
【０１０２】
上述した実施の形態１〜７及び変形例１−１，２−１，３−１，４−１，５−１，６−１，７−１〜７−７では、色合成光学装置６０は、第１〜第３プリズム６１，６２，６４を用いて構成されていたが、これに限らず、プリズムを用いずにダイクロイックミラー等で構成しても構わない。
上述した実施の形態１〜７及び変形例１−１，２−１，３−１，４−１，５−１，６−１，７−１〜７−７において、本発明に係る第１〜第６色光の組み合わせは、Ｇ，Ｂ，Ｒ，Ｖ，Ａ，ＩＲ色光の組み合わせに限らず、その他の組み合わせを採用しても構わない。また、７つ以上のピーク波長の異なる色光を用いた構成を採用しても構わない。
上述した実施の形態１〜７及び変形例１−１，２−１，３−１，４−１，５−１，６−１，７−１〜７−７では、第１〜第５誘電体多層膜６３１〜６３５をハイパスフィルタやローパスフィルタで構成していたが、これに限らず、バンドパスフィルタで構成しても構わない。
【０１０３】
上述した実施の形態１〜７では、本発明に係る医療用光源装置を硬性内視鏡に用いていたが、これに限らない。
例えば、軟性内視鏡に本発明に係る医療用光源装置を採用しても構わない。また、被検体内部（生体内）や被検体表面（生体表面）の所定の視野範囲を拡大して撮像する医療用観察装置（例えば、特開２０１６−４２９８１号公報参照）に本発明に係る医療用光源装置を採用しても構わない。
【符号の説明】
【０１０４】
１  医療用内視鏡装置
２  挿入部
２ａ  接眼部
３，３Ａ〜３Ｈ  光源装置
４  ライトガイド
５  カメラヘッド
６  第１伝送ケーブル
７  表示装置
８  第２伝送ケーブル
９  制御装置
１０  第３伝送ケーブル
２０  Ｇ光源部
２１  Ｇ固体発光素子
２２  Ｇ放熱器
３０  Ｂ光源部
３１  Ｂ固体発光素子
３２  Ｂ放熱器
４０  Ｒ光源部
４１  Ｒ固体発光素子
４２  Ｒ放熱器
５０  Ｖ光源部
５１  Ｖ固体発光素子
５２  Ｖ放熱器
６０  色合成光学装置
６１，６１Ａ  第１プリズム
６１ａ  第１入射面
６１ｂ  第２入射面
６１ｃ  第３入射面
６１ｄ  第１出射面
６１ｅ  天面
６１ｆ  底面
６２  第２プリズム
６２ａ  当接面
６２ｂ  第４入射面
６２ｃ  第５入射面
６２ｄ  第２出射面
６４  第３プリズム
６４ａ  当接面
６４ｂ  第６入射面
６４ｃ  第７入射面
６４ｄ  第３出射面
７０  外装筐体
７０ａ  前面部
７０ｂ  第１側壁部
７０ｃ  第２側壁部
７０ｄ  背面部
７０ｅ  天面部
７０ｆ  底面部
７１  出射孔
７２  第１吸気孔
７３  第２吸気孔
７４  第１排気孔
７５  第２排気孔
７６  脚部
７７ａ，７７ｂ  遮蔽部材
７８ａ〜７８ｃ  第１〜第３膨出部
７９ａ〜７９ｆ  遮蔽部材
８０  Ａ光源部
８１  Ａ固体発光素子
８２  Ａ放熱器
９０  ＩＲ光源部
９１  ＩＲ固体発光素子
９２  ＩＲ放熱器
６１１〜６１４  直角プリズム
６２１〜６２６  直角プリズム
６３１  第１誘電体多層膜
６３２  第２誘電体多層膜
６３３  第３誘電体多層膜
６３４  第４誘電体多層膜
６３５  第５誘電体多層膜
６４１，６４２  直角プリズム
ＣＮ１，ＣＮ２  コネクタ
ＦＰ１  第１冷却流路
ＦＰ２  第２冷却流路
【図１】
2019080624.tif 000003
【図２】
2019080624.tif 000004
【図３】
2019080624.tif 000005
【図４】
2019080624.tif 000006
【図５】
2019080624.tif 000007
【図６】
2019080624.tif 000008
【図７】
2019080624.tif 000009
【図８】
2019080624.tif 000010
【図９】
2019080624.tif 000011
【図１０】
2019080624.tif 000012
【図１１】
2019080624.tif 000013
【図１２】
2019080624.tif 000014
【図１３】
2019080624.tif 000015